Podtech/llm-jp-corpus-v4-ja_patent huggingface dataset:
(57)【要約】【課題】圧接用機鉄筋保持部装置における、鉄筋材鋼棒支持用ボルトにおいて、鉄筋材鋼棒支持面側の改良等が行われているが、構造の複雑化など、締付け強度に効果を上げていないなど欠点がある。【解決手段】圧接機用鉄筋材保持部装置は、支持用ボルトによる直接的な締付ではなく、力点金具を装着することにより、支持用ボルトより大きな面によって鉄筋材鋼棒を固定でき、力点金具に含まれるアーム構造が、鉄筋材鋼棒を連結接合する端面側へ、二次的な力が働き、連結接合部の鉄筋材端面を安定的かつ強力に維持することが可能となった。【選択図】図１
0003103998.tif 000002
【実用新案登録請求の範囲】
【請求項１】
鉄筋材圧接機使用における、鉄筋材鋼棒の連結接合に際し、鉄筋材鋼棒を保持固定する保持部装置には、鉄筋鋼棒を押圧する可動保持部、それと連動する力点金具を持ち、保持部は締付けボルトにより狭圧が働き、同時に力点金具は、支持部を支点とするアーム部機能により保持部を維持安定化するが、鉄筋鋼棒の連結接合を完了した時点で、アーム部はバネ圧の利用により、保持部の開放に作用する機能を有し、連結接合作業の効率的な実施を実現でき、鉄筋材鋼棒の連結接合の安定化と、狭圧保持できる構成を特徴とする鉄筋材保持装置。
【考案の詳細な説明】
【技術分野】
【０００１】本考案は、コンクリート構造物に用いられる、鉄筋材等の鋼棒の接合に係る、圧接機における鉄筋材保持部装置に関するものである。
【背景技術】
【０００２】従来、コンクリート構造物に用いられている鉄筋材は、鋼棒の複数本接合が良く行われ、その際、鉄筋材鋼棒の端面同士を互いに連結接合することがあり、圧接機は工事現場などで多く使用され、既によく知られている（特許公開平８−１７４２３７号など）。しかし、多くの考案は圧接用鉄筋材保持装置における、支持用ボルトによる固定による方法で、締付けの強度確保を図っているが、この支持用ボルトにより、鉄筋材鋼棒の表面を損傷し、鉄筋材自体の強度に悪影響が出てきた。
【考案の開示】
【考案が解決しようとする課題】
【０００３】圧接機用鉄筋保持装置における前述の課題を解決するため、種々の提案がなされているが、例えば鉄筋材鋼棒支持用ボルトにおいて、鉄筋材鋼棒支持面側の改良等が行われているが、構造の複雑化など、締付け強度に効果を上げていないなど欠点がある。【０００４】一方、鉄筋材保持装置に、新たにアタッチメントを装着し、鉄筋材鋼棒に対し、面で締付ける方法も考案されている（登録実用新案第３０８１４４７号など）。【０００５】なお、従来の圧接機用鉄筋材保持装置は、連結接合する複数本の鉄筋材鋼棒を強力に支持することにより、鉄筋材鋼棒の端面が安定的に保持され、連結接合の確実性を高めようとしていた。しかし、鉄筋材鋼棒への締付けが強力になることは、鉄筋材鋼棒自体の強度及び腐食の原因となる傷が発生し、錆の発生を促すなど、鉄筋材の強度確保の妨げになるなどの問題がある。
【課題を解決するための手段】
【０００６】前記課題を解決するため、本考案に係る圧接機用鉄筋材保持部装置は、支持用ボルトによる直接的な締付ではなく、力点金具を装着することにより、支持用ボルトより大きな面によって鉄筋材鋼棒を固定でき、力点金具に含まれるアーム構造が、鉄筋材鋼棒を連結接合する端面側へ、二次的な力が働き、連結接合部の鉄筋材端面を安定的かつ強力に維持することが可能となった。
【考案の効果】
【０００７】本考案によると、鉄筋材鋼棒の連結接合部端面のズレはコンクリート構造物の基礎として強度に大きく影響を与える、従って、鉄筋材鋼棒の連結接合に際し、熟練を要するような、圧接機用鉄筋材保持部装置における支持用ボルトの締付けは、一定の強度を保ちながら安定的に保持できることとなり、連結接合部の溶接接合における品質の安定化、強度の確保が図れた。
【考案を実施するための最良の形態】
【実施例】
【０００８】以下、本考案の実施形態につき図を参照して説明する。図１には、本考案に係る圧接機Ｙの斜視図であり、一部破断した構造を示す概略図であるが、鉄筋材保持部１０、鉄筋材保持部１１、は対に位置し、鉄筋材保持部１０は可動するが、鉄筋材保持部１１は固定されている。【０００９】本考案の圧接機用鉄筋材保持部装置において、２本の鉄筋材鋼棒を固定した状態を示し、一部透視図が図２であり、鉄筋材鋼棒に刻まれている、鋼棒凸面のピッチに相対し、圧接機用鉄筋材保持部装置の締付けた状態における保持部支持面を見る事ができる。【００１０】図３で圧接用鉄筋材保持部装置の構造を示しているが、上面から見た図が１３であり図中のＸ−Ｘ’で結ぶ線上で破断した図が図４で示す側面図であり、力点金具の構造を示すものである。【００１１】また、図５に示すように、圧接機用鉄筋材保持部装置は、締付用ボルト２０を締付けると２０’の位置まで移動し、保持部支持面２４は鉄筋材鋼棒１００側に同時に移動し、鉄筋材鋼棒を締付け、この時、同時にアーム部２２は２２’へ移動することになり、鉄筋材鋼棒をより安定で強固に締付ける、この時、アーム部２２にはアーム用バネ２７が装着されているため、逆向きの力が働き、連結接合完了時は鉄筋鋼棒の開放に働き、作業の効率を上げることができ、しかも締付け強度の安定化機能を有する。
【産業上の利用可能性】
【００１２】本考案における、圧接機用鉄筋材保持部装置は、コンクリート構造物に持いられる鉄筋材等の鋼棒の接合が比較的未熟な人でも容易に取扱え、構造がシンプルであるため、鉄筋材連結接合部位の確実な強度と安定化に貢献でき、様々な現場条件下でも耐久性があり、安価なコスト及び簡便な装置により鉄筋材連結接合を実現できる。
【図面の簡単な説明】
【００１３】
【図１】本考案の圧接機及び鉄筋材保持部装置の斜視図で一部破断図を示す。
【図２】本考案の鉄筋材保持部装置に鉄筋材鋼棒を装着した斜視図で一部透視図を示す。
【図３】本考案の鉄筋材保持部装置の各方向から見た正面図を示す。
【図４】図３のＸ−Ｘ’線上の断面図を示す。
【図５】本考案の鉄筋材保持部装置の力点金具の動作説明図を示す。
【符号の説明】
【００１４】１０    可動保持部
１１    固定保持部
１２    側面図
１３    上面図
１４    下面図
１５    締付けボルト側から見た右側面図
１６    保持壁側から見た左側面図
２０    締付けボルト
２０’  締付けボルトが鉄筋材鋼棒を締付けた状態
２１    保持部装置の保持壁
２２    保持部装置のアーム部
２２’  締付けボルトが鉄筋材鋼棒を締付けた状態でのアーム部
２３    アーム部バネ受
２４    鉄筋材鋼棒支持部
２５    保持壁クランプ
２６    力点金具支持ピン
２７    アーム部バネ
１００  鉄筋材鋼棒
２００  鉄筋材鋼棒
Ｘ      破断面始点
Ｘ’    破断面終点
Ｙ      鉄筋圧接機
【図１】
0003103998.tif 000003
【図２】
0003103998.tif 000004
【図３】
0003103998.tif 000005
【図４】
0003103998.tif 000006
【図５】
0003103998.tif 000007
(57)【要約】      （修正有）【課題】本考案はボトル内容液を均一にして短時間で注出させる。【解決方法】本考案はボトル口部への装着自在な装着部２を有する装着本体１に、吸気口３と液出し口４を形成した。【選択図】図１
0003103996.tif 000002
【実用新案登録請求の範囲】
【請求項１】
ボトル口部への装脱自在な装着部を有する装置本体に、吸気口と液出し口を形成したボトル用液出し装置。
【考案の詳細な説明】
【技術分野】
【０００１】  本考案は、びん、プラスチック製等のボトルの液出し装置に関する。
【背景技術】
【０００２】  従来のボトルは、単に開口部が設けられているに過ぎず、このため内容液を注出するとき、注出と吸気がくり返され、注出がみだれ液が飛散状態になると共に注出に時間が多くかかる欠点がある。
【考案の開示】
【考案が解決しようとする課題】
【０００３】  本考案は、ボトルの内容液を注出するとき、液が飛散することなく均一に注出し、注出時間も短縮できるものである。
【課題を解決するための手段】
【０００４】  本考案は、ボトルの口部に装着する装置本体に、吸気口と液出し口を形成し、従来品の欠点を解決している。
【考案の効果】
【０００５】  本考案は、ボトルの口部に着脱自在の装置本体に吸気口と液出し口を形成したので、内容液を飛散することなく均一に注出できるとともに、注出時間も短縮できる。
【実施例】
【０００６】  以下、本考案の実施例を添付図面で説明すると、図１は装置本体部分を示すもので１はボトル口部への装着部２を有する装置本体であって、吸気口３を有し、該吸気口３は適当長さのパイプ部３Ａを有することで液出しに効果があり、４は液出し口である。尚、吸気口３とパイプ部３Ａは別体に形成しそれを嵌合し連結してもよい。【０００７】図２は装置本体をボトル装着した状態を示し、５はボトル本体であって、６はボトル口部である。
【図面の簡単な説明】
【０００８】
【図１】本考案の装置本体の斜視図である。
【図２】本考案の装置本体をボトルに装着した一部断面図である。
【符号の説明】
【０００９】１  装置本体
２  装着部
３  吸気口
４  液出し口
【図１】
0003103996.tif 000003
【図２】
0003103996.tif 000004
(57)【要約】【課題】ゴボパターンを複合する事により以前より様々に照明で絵柄を出すことは出来ていたが枚数が重なることによる照射面の輝度落ちや照明機材そのものに複雑な機能が必要であった。【解決手段】本考案は２枚の合わさったガラス１と３の間に固体または液体の流動的な動きをする様々な原料の物質を筐体２に封入することにより本考案流動体ゴボパターンケースに照射した照明の陰影や色彩が複雑な絵柄として単一な回転ゴボフォルダーにより表示される事を可能とした。【選択図】図１
0003103993.tif 000002
【実用新案登録請求の範囲】
【請求項１】
流動体ゴボパターンケース内部において個体もしくは液体が流動的に動くことによって陰影や色彩を変化しそれを各照明機材によって表示させるための新しいゴボパターンケース。
【請求項２】
請求項１に記載の流動体ゴボパターンケースおいて耐熱素材のガラス２枚の間を物体が動く事を特徴とした流動体ゴボパターンケース。
【請求項３】
請求項２に記載の流動体ゴボパターンケースにおいて中を動く物体の流出を防ぐ機能を特徴とした流動体ゴボパターンケース。
【請求項４】
請求項３に記載の流動体ゴボパターンケースにおいて中に入る物質の素材が様々に混ざり合う変化を照明によって表示出来る事を特徴とした流動体ゴボパターンケース。
【請求項５】
請求項４に記載の流動体ゴボパターンケースにおいて様々なゴボパターンフォルダーにも適合するサイズを提供する事が出来る事を特徴とした流動体ゴボパターンケース。
【請求項６】
請求項５に記載の流動体ゴボパターンケースにおいて回転ゴボフォルダーを使用する事により流動体封入部分内の動作を照明機器により表示する事の出来る流動体ゴボパターンケース。
【請求項７】
請求項６に記載の流動体ゴボパターンケースにおいて内部に封入もしくは設置固定する物質の形状  素材  色彩  原料等々を複合変化させることにより様々に照明を変化させることが出来る流動体ゴボパターンケース。
【考案の詳細な説明】
【技術分野】
【０００１】本考案は舞台照明装置に入れる流動体ゴボパターンケース自身が内部に入れる素材の形状や原料により様々に変化する事を表現出来る回転ゴボフォルダーを持つ舞台照明装置に入れるための流動体ゴボパターンケースです。
【背景技術】
【０００２】従来のゴボパターンはパターンそのものは動かず回転ゴボホルダーが動くことにより照明の陰影を表現していました。
【考案の開示】
【考案が解決しようとする課題】
【０００３】ゴボパターンを複合する事により以前より様々に照明で絵柄を出すことは出来ていたが枚数が重なることによる照射面の輝度が落ちることや照明機材そのものに複雑な機能が必要であった。
【課題を解決するための手段】
【０００４】本考案により２枚の合わさったガラスの間に固体または液体の流動的な動きをする物質を本品に封入することにより本考案流動体ゴボパターンケースに照射した照明の陰影や色彩が複雑な絵柄として単一な回転ゴボフォルダーにより表示される事を可能とした。
【考案の効果】
【０００５】本考案による流動体ゴボパターンケースを使用することにより複数のゴボフォルダーの重ね合わせでのみ可能であった複雑な流動体の照明による表示が比較的安価で封入する素材により変化させる事が出来る。
【考案の実施するための最良の形態】
【０００６】流動体ゴボパターンケースの中に流動体状の液体か固体を入れるスペースを作成し  条件により密封もしくは内部圧力上昇をさけるための空気穴を作る。
【実施例】
【０００７】図３の４  流動体封入部分に固体または液体を入れ図１の１にある蓋をすることで図２の流動体ゴボパターンが出来る。図１の２筐体部分はゴボフォルダーにあう形で成形し各照明機材に搭載し回転ゴボとして動かすことにより内部の液体または固体が動くことにより照明の陰影と色彩を動きとして表現する事が出来る。  図８のように封入する素材はダイクロックフィルターのような不定形ガラスや  金属製ギヤーのような形状のあるモノを使用する場合も想定される。
【図面の簡単な説明】
【０００８】
【図１】本考案流動体ゴボパターンケース分解図。
【図２】本考案流動体ゴボパターンケース正面図。
【図３】本考案流動体ゴボパターンケース内部図面。
【図４】本考案流動体ゴボパターンケース上面図。
【図５】本考案流動体ゴボパターンケース裏面図。
【図６】本考案流動体ゴボパターンケース側面分解図。
【図７】本考案流動体ゴボパターンケース側面図。
【図８】本考案流動体ゴボパターンケース内部に個体流動物を封入した図。
【符号の説明】
【０００９】１：上面耐熱ガラス
２：筐体
３：下面耐熱ガラス
４：流動体封入面
【図１】
0003103993.tif 000003
【図２】
0003103993.tif 000004
【図３】
0003103993.tif 000005
【図４】
0003103993.tif 000006
【図５】
0003103993.tif 000007
【図６】
0003103993.tif 000008
【図７】
0003103993.tif 000009
【図８】
0003103993.tif 000010
(57)【要約】【課題】本考案は、溶接ロボット等で正確に溶接を行うには、テイチングの精度が深く係わるが、これを光線を利用して、簡単且つ高精度に行う事を提供する。【解決手段】取付用タップ付アダプター本体（１）の内面には、電源配線を施した、発光体（２）を固定して設け、また凸レンズ（３）を保持した、ギァー付レンズホルダー（４）を前記本体の内壁面に密着させて、適当なる上下位置移動が可能に設ける、そして前記ホルダーの上下位置移動を微調整する、回転ツマミ（５）を前記本体の外側に密接させて装着する。【選択図】      図  １【実用新案登録請求の範囲】
【請求項１】
取付用タップ付アダプター本体（１）の内面には、電源配線を施した、発光体（２）を固定して設け、また凸レンズ（３）を保持した、ギァー付レンズホルダー（４）を前記本体の内壁面に密着させて、適当なる上下位置移動が可能に設ける、そして前記ホルダーの上下位置移動を微調整する、回転ツマミ（５）を前記本体の外側に密接装着してなる、テイチングアダプター。
【考案の詳細な説明】
【技術分野】
【０００１】  本考案は、ロボット等によるＭＩＧ溶接のテイチング技術に関するものである。
【背景技術】
【０００２】  従来、テイチングはＭＩＧトーチ（１０）の先端部に設けられた、ＭＩＧノズル内の溶接チップ（６）に通して出ている、ＭＩＧ溶接ワイヤー（７）を溶接面（８）に溶接条件距離を目測で保ってテイチング作業を行っていた。
【考案の開示】
【考案が解決しようとする課題】
【０００３】  このように、ＭＩＧ溶接はＭＩＧ溶接ワイヤー（７）をトーチ先端のガスシールドノズル（９）より、溶接チップ（６）と共に少し突き出させて、セットされている。
そして、この溶接チップ（６）からさらに１０ｍｍ程、ＭＩＧ溶接ワイヤー（７）が突き出ているのである。そして、溶接中は溶接面（８）に対して、溶接物の板厚により異なるが、数ミリ程前記ワイヤーの距離間隔を正確に保つ必要がある。しかし、溶接面（８）のテイチング作業は、作業者の視覚的な感覚で前記ワイヤー先端を、目で追ってこの距離間隔を保って行われる為、その距離精度は非常に悪い。さらに影等の中にあったりで、テイチンク面が見ずらい。また前記ワイヤーが曲がっている事も多く、さらにその状況は悪く、最適な溶接条件が得られなかった。
さらに、テイチングを行っている作業者の心労は大変なもので作業効率も悪かった。
本考案は、このような問題を改善する為になされたものである。
【課題を解決するための手段】
【０００４】  ＭＩＧ溶接トーチにネジ込みで着脱できる、取付用タップ付アダプター本体（１）の内面に、電源配線を施した、発光ダイオード（ＬＥＤ）等あるいは超小型ランプ等で、形成した発光体（２）を固定して設ける。そしてこの光線を収束させる凸レンズ（３）を保持した、ギアー付レンズホルダー（４）を、前記本体の内壁面に密着させて、適当なる上下位置移動が出来るように設ける。さらにこのギアー付レンズホルダー（４）を上下の位置移動に微調整する、回転ツマミ（５）を前記本体の外側に密接させて装着し設ける。
本考案は、以上のような構成よりなる、テイチングアダプターである。
【考案の効果】
【０００５】  本考案は、溶接物の溶接面に、発光体の光を照射するので、溶接面が良く見える事と、光源の光焦点を溶接面に合わせてテイチングするだけで、簡単に高精密なテイチングができ、作業者への負担も大幅に改善された。また、溶接物の板厚により溶接条件は変わるが、この時は光の焦点距離を変えるだけで良い。
また、小型簡単構造であるから、大量生産が可能でローコストに出来る。
【考案を実施するための最良の形態】
【０００６】  ＭＩＧ溶接トーチにネジ込みで着脱できるようにした、取付用タップ付アダプター本体（１）の内面中心部分に、電源配線を施した、ＬＥＤあるいは超小型豆球等のランプで形成した、発光体（２）を配置固定して設ける。そしてこの光源の発する光を収束させる凸レンズ（３）を保持した、ギアー付レンズホルダー（４）を前記本体の内壁面に密着させて、ラックピニオンギアー等の調整で、適当な上下位置の距離移動が出来るように設ける。さらにこの前記ホルダーの上下位置移動をギアーにより微調整する、回転ツマミ（５）を前記本体の外側に密接させて装着し設ける。
本考案は、以上のような構成よりなるテイチングアダプターである。【０００７】  本考案は、溶接物の板厚により溶接条件は異なるので、当然溶接接点距離も変わり、これと比例してテイチングの接点距離も変わる。つまりＭＩＧトーチの溶接面（８）へのその接点距離が変わるのである。この接点距離は図４のごとく取付用タップ付アダプター本体（１）を簡易接点距離ゲージ（１１）に乗せて、凸レンズ（３）を動かして、板厚に見合った接点距離に、光の焦点が合うように調整できる。
さらに、本考案とＭＩＧトーチ（１０）の先端部に設けた、ガスシールドノズル（９）とは、同じ大きさにする事が重要である。【０００８】  本考案を使用するときには、ＭＩＧトーチ（１０）の先端部のガスシールドノズル（９）と溶接チップ（６）を外し、ＭＩＧ溶接ワイヤー（７）を前記トーチ内に引込んでおく。この状態にしてから、取付用タップ付アダプター本体（１）をＭＩＧトーチ（１０）にねじ込んで取付ける。これはガスシールドノズル（９）と同形状であるので簡単に準備できる。【０００９】  次に、発光体（２）の電源を入れて点灯させ、テイチング作業に移る。まず図１、図２のごとく溶接面（８）にロボット操作でＭＩＧトーチ（１０）を接近させる。そして溶接面（８）を光で照射し、回転ツマミ（５）で光の収束を微調整して焦点を合わせる。この焦点を合わせた状態で、テイチングを行えば完全なる溶接条件をロボットに教示できるのである。テイチングが終了したら、ねじ込みを緩めて取外して、ガスシールドノズル（９）と交換するだけで良い。
【図面の簡単な説明】
【００１０】
【図１】    本考案の実施図である。
【図２】    本考案の説明図である。
【図３】    従来型の説明図である。
【図４】    本考案の接点距離調整中の説明図である。
【符号の説明】
【００１１】  １  取付用タップ付アダプター本体
２  発光体
３  凸レンズ
４  ギアー付レンズホルダー
５  回転ツマミ
６  溶接チップ
７  ＭＩＧ溶接ワイヤー
８  溶接面
９  ガスシールドノズル
１０  ＭＩＧトーチ
１１  簡易接点距離ゲージ
１２  焦点
【図１】
0003103997.tif 000002
【図２】
0003103997.tif 000003
【図３】
0003103997.tif 000004
【図４】
0003103997.tif 000005
(57)【要約】【課題】  睡眠時にいびきをかきやすいと言われている仰向け状態を解消する為に、まくら中央部にローラーを設置し、横を向くようにするまくらを提供する。【解決手段】  まくら中央部の穴４に５のプラスチィック等の箱へスポンジ２と芯棒３を設置することにより、ローラーの効果をし、仰向けになる事を防ぎ、いびきを解消する。【選択図】  図１
0003103964.tif 000002
【実用新案登録請求の範囲】
【請求項１】
まくら本体中央部にローラーを設け、寝ている際ローラーが動いて頭が横を向く事を特徴し、いびきをかきやすいと言われる仰向け状態を防止するいびき防止ローラー付きまくら。
【考案の詳細な説明】
【技術分野】
【０００１】  本考案は睡眠時のいびきを解決するために、まくら本体の中央にローラーを設け、ローラーの回転により頭が傾くことによりいびきを防止しようとしたものである。
【背景技術】
【０００２】  従来、いびきを防止するローラー付きのまくらはなかった。
【考案の開示】
【考案が解決しようとする課題】
【０００３】  通常のまくらでは、最もいびきをかきやすいと言われている仰向け状態になるので、横を向かせることによりいびきを解消しようとするものである。
【課題を解決するための手段】
【０００４】  本考案は、まくらの中央にローラーを設けることにより、左右に顔が向き、最もいびきをかきやすいと言われる仰向け状態にならないようにした。また、寝返りを打つ際もローラーの補助により仰向けにならず、反対方向に頭が向くようにした。また、まくらの両側に角度をつけることにより頭が無理な体勢にならないようにした。
【考案の効果】
【０００５】  睡眠時使用するまくらの中央にローラーを設けることにより、最もいびきをかきやすい仰向け状態にならずに、左右を向く事でいびきの出にくい状態をつくることが出来る。また、寝返りを打つ際もローラーの回転によって、仰向け状態になることがない。この他、まくらの両側に角度をつけることで首が無理な体勢になることなく、睡眠の邪魔をすることなく安眠できる。
【実施例１】
【０００６】  以下、添付図面に従って実施例を説明する。図１の１は低反発素材等の適宣素材にて形成されたまくら本体、２のスポンジ等を筒状にしたものに３のステンレス等の芯棒を差し込んでローラーとし、４のまくら中央部の穴に３の芯棒を差し込む穴を開けた５プラスチィック素材等の箱を設置する。図２の５は首の負担を軽くするためにつけられた角度である。
【図面の簡単な説明】
【０００７】
【図１】本考案のいびき防止ローラー付きまくらの正面図である。
【図２】本まくらの断面図である。
【符号の説明】
【０００８】１  まくら本体
２  筒状のスポンジ
３  芯棒
４  まくら中央の穴
５  箱
６  角度をつけた部分
【図１】
0003103964.tif 000003
【図２】
0003103964.tif 000004
(57)【要約】【課題】ショルダーベルトなどベルトに携帯型防犯ブザーを取付けて、犯罪を予防する。【解決手段】ショルダーベルトなどベルトに携帯型防犯ブザーが取付けられるストッパー付き短ベルトを取付ける。【選択図】図２
0003103967.tif 000002
【実用新案登録請求の範囲】
【請求項１】
適度な幅を持った帯状繊維素材で適度な大きさの輪を作り、その輪の大きさを自由に
変更固定できるストッパー付きの帯ベルト。
【考案の詳細な説明】
【技術分野】
【０００１】
本考案は、ショルダーベルトなど、ベルトに取付け、同ベルト上に携帯型防犯ブザーを
保持するものである。
【背景技術】
【０００２】
携帯型防犯ブザーはショルダーベルトに掛けられることで、咄嗟の操作性が格段に向上し
その効果を高められる。
【考案の開示】
【考案が解決しようとする課題】
【０００３】
様々な形状の携帯型防犯ブザーをショルダーベルトなどのベルト上に保持できるように
する。
【課題を解決するための手段】
【０００４】
本考案は、適度な幅を持った帯状繊維素材の短ベルトの輪をベルトに通し、同輪の中に
携帯防犯ブザーを挿入し、ブザーの大きさに合わせるように、輪の大きさを付属のストッパーで
絞り、ベルトでブザーを緩み無く緊縛保持する。
【考案の効果】
【０００５】
昨今、児童誘拐が社会問題化しており、このような場合の咄嗟の対応を可能にした本案は
扱いが極めて容易であることから、利便性が高く且つ効果も大である為、防犯効果を
高めるものとなる。
【図面の簡単な説明】
【０００６】
【図１】本案の構成を示す
【図２】本案の使用方法を示す
【符号の説明】
【０００７】
１    帯ベルト
２    ストッパー
３    携帯防犯ブザー
４    ショルダーベルト
【図１】
0003103967.tif 000003
【図２】
0003103967.tif 000004
(57)【要約】【課題】この考案は、足腰の劣えてきた老犬が、少しでも体力を付けられ、又、自力で排せつできるように、体の胸と腹部をささえて、足腰にかかる負担を少しでも軽減して楽に歩行ができるよう、飼い主が散歩時にリードをショッピングバックを持つような感覚で老犬の体を少し吊り上げるようにして歩行の手助けを目的とした老犬介護用歩行ベルトに関するものである。【解決の手段】ベルト１に脚穴Ａ２、脚穴Ｂ３、リード取り付け金具４、リード５からなる、老犬介護用歩行ベルト。【選択図】図  １【実用新案登録請求の範囲】
【請求項１】
不変型長方形状のシートの長辺の左右中心部に左右対象の脚穴を設けて、この脚穴に前足を入れて体の胸と腹部をささえ、劣えた足腰にかかる負担を少しでも軽減し、老犬が楽に歩行ができるように、飼い主が散歩時にリードをショッピングバックを持つような感覚で老犬の体を少し吊り上げるようにして歩行の手助けを目的とした老犬介護用歩行ベルト。
【考案の詳細な説明】
【考案の詳細な説明】
【技術分野】
【０００１】この考案は足腰の劣えてきた老犬が少しでも体力を付けられ、又、自力で排せつできるように、足腰にかかる負担を少しでも軽減し、楽に歩行ができるように、体の胸と腹部をささえ、散歩の時に飼い主がリードをショッピングバックを持つような感覚で老犬の体を少し吊り上げるようにして歩行の手助けを目的とした老犬介護用歩行ベルト。
【背景技術】
【０００２】従来、胴輪（紐）があるが、これは紐が体にくいこんで体を締め付けてしまい、介護用歩行には使用できるものではなかった。
【考案が解決しようとする課題】
【０００３】本案は、劣ろえてきた老犬の足腰にかかる負担を少しでも軽減し、楽に歩行ができるように、体の胸と腹部をささえ、散歩の時に歩行の手助けを目的とした老犬介護用歩行ベルトに関するものである。
【図面の簡単な説明】
【図１】本考案の斜視図である。
【図２】本考案の使用中の斜視図である。
【符号の説明】
１はベルト  ２は脚穴Ａ  ３は脚穴Ｂ  ４はリード取り付け金具  ５はリード
【図１】
0003103963.tif 000002
【図２】
0003103963.tif 000003
(57)【要約】      （修正有）【課題】指圧の練習で特に基本となる伏臥位の肩甲下部・肩甲間部の練習が、学校または自宅等に於いて一人で出来る。また、相手を痛めることなく、同じ箇所を繰り返し、思う存分練習出来る。そういうものを提供することにある。【解決手段】人体の伏臥位を想定して、高さ・幅・長さを一般人の平均的数値で、本体Ｃを木製で作る。指圧面Ａ-１及び脇をウレタンラバー等で被い人体の感触を持たせることにより、長時間に亘る練習も相手を痛めることなく、練習したい箇所を繰り返し練習することも可能となり、手指の使い方・構える姿勢・圧をかける腰の動き、それらを体で覚えることが出来る。【選択図】図１
0003103910.tif 000002
【実用新案登録請求の範囲】
【請求項１】
人体の体幹が伏臥位であることを想定して台を作り、その表面を人体の感触に似たウレタンラバー等で被い、伏臥位の人体を圧してゆく為の練習が出来るように考案した指圧の練習台。
【考案の詳細な説明】
【技術分野】
【０００１】  この考案は、指圧の練習で特に基本となる伏臥位の肩甲下部・肩甲間部の指圧の練習が、何時でも何処でも一人で簡便に行なえるようにしたものである。
【背景技術】
【０００２】  従来、指圧の練習は二人一組で行なわれている。学校や講習会等でも常にそうであった。
【考案の開示】
【考案が解決しようとする課題】
【０００３】  この練習法の欠点は大きく分けて二点ある。一点は、相手がいなくては練習できないこと。もう一点は、練習相手がいたとしても、特に初心者は相手を痛めたり具合を悪くしてしまうことも多く、圧す方も圧される方もかなり神経を使わなくてはならず、思う存分練習することが出来ない。本考案は、これらの欠点を除くためになされたものである。
【課題を解決するための手段】
【０００４】  指圧の練習で特に基本となる伏臥位の肩甲下部・肩甲間部の練習が、何時でも何処でも容易に、しかも相手を痛めることなく、また、同じ箇所を繰り返し、思う存分練習出来るようにとの目的で考案されたものである。
【考案の効果】
【０００５】  長時間に亘る練習も相手を痛めることなく、練習したい箇所を繰り返し練習することも可能となり、手指の使い方・構える姿勢・圧をかけるための腰の動き、それらを体で覚えることが出来る。指圧の練習で特に基本となる伏臥位の肩甲下部・肩甲間部が圧せるようになれば、全身の指圧操作が可能となる。
【考案を実施するための最良の形態】
【０００６】  本考案の実施の形態について説明する。
イ）人体の伏臥位を想定して、高さ・幅・長さを一般人の平均的な数値で、本体を木製で作る。
ロ）指圧面及び脇をウレタンラバー等で被い、人体の感触を持たせる。
【実施例１】
【０００７】  イ）初心者が力で圧すと、素地の木製部の堅さを直に感じて指が痛くなる。
ロ）押圧面は穴があいたようにへこみが深く、復元するのに時間を要する。
ハ）指あとは同心円を描くことはない。
【実施例２】
【０００８】  イ）上級者が力を抜いて圧すと、素地の木製部の堅さを感じることなく圧せる。
ロ）押圧面のへこみも少なく、復元に要する時間も短い。
ハ）指あとは同心円を描く。
【産業上の利用可能性】
【０００９】  指圧学校、講習会等で使用可能となり、指圧の練習で特に基本となる伏臥位の肩甲下部・肩甲間部の練習をすることで、安全でより効率的に、手指の使い方・構える姿勢・圧をかけるための腰の動き、それらを体で覚えることが出来る。また、一人でも練習可能である。
【図面の簡単な説明】
【００１０】
【図１】本考案の斜視図である。
【図２】本考案の側面図である。
【符号の説明】
【００１１】  Ａ−１（指圧面）  ウレタンラバー製
Ａ−２、Ａ−３    ウレタンラバー製
Ｂ                鋲
Ｃ（本体）        木製
【図１】
0003103910.tif 000003
【図２】
0003103910.tif 000004
(57)【要約】      （修正有）【課題】料理時の焼き物、揚げ物などに必要なペーパータオル、アルミホイル、その他調味アイテムを同時に素早く使用できるアルミカッターとペーパータオルカッターを兼ね備えたキッチン用キャスター付き多機能ワゴンを提供する。【解決手段】料理時に必要な道具類を全て一つの作業台に収納できる。又、作業に必要なロール状アルミ箔とペーパータオル軸５、６を設けてあり、更に作業者が一人で手元で作業できるよう、移動可能な車輪８を取り付けた。【選択図】図２
0003103930.tif 000002
【実用新案登録請求の範囲】
【請求項１】
材質は木、又はスチールでテーブルを支える柱を１本の細い柱にして軽量化を図り、上部の２枚構造のテーブルの間に２本の横水平な棒を取り付け、ロール状のアルミホイルやペーパータオルを同時に収納できるようにし、更に下方のテーブルの端に収納した物を切るカッターとその側面にそれぞれ１本ずつの多機能ハンガーを備付けた事を特徴とするワゴン。
【考案の詳細な説明】
【考案が解決しようとする課題】
【０００１】  本来、アルミホイルとペーパータオルは別の場所に保管しているため、必要な時に素旱く使用する事ができなかった。
【課題を解決する為の手段】
【０００２】  上記目的を達成する為にキャスター付きワゴンにペーパータオルとアルミホイルを収納し、ならびにアルミホイルカッターを兼ね備えるようにした。
【考案の効果】
【０００３】  料理時の焼き物、揚げ物などに必要なペーパータオル、アルミホイル、その他調味アイテムを同時に素早く使用できる。
【図面の簡単な説明】
【図１】  キッチン専用多機能作業台の斜視面である。
【図２】  キッチン専用多機能作業台の横面図である。
【図３】  キッチン専用多機能作業台の背面図である。
【符号の説明】
１  多機能作業台
２  アルミホイルカッター
３  調味料置き
４  多目的ハンガー
５  アルミホイル軸
６  ペーパータオル軸
７  多目的カップ
８  移動用車輪
【図１】
0003103930.tif 000003
【図２】
0003103930.tif 000004
【図３】
0003103930.tif 000005
(57)【要約】      （修正有）【解決手段】サンダル本体に外板母子跡予防の起立片４と足ツボを刺激する凸部２を合体した健康サンダルとする。【効果】足ツボマッサージに，外板母跡予防・悪化予防の起立片を付け，同時に二つの効果を狙った履物で、家の中でマジックテープ式バンドを利用して自分の足にサイズに合わせ、重心をかえてツボを刺激し、短時間履き続ける事により起立片の効果で外板母跡の予防・悪化予防、又凸部の効果で血行が良くなり、疲れ、イライラ、足のむくみ、首・肩の懲りが柔ぐ。【選択図】図３
0003103922.tif 000002
【実用新案登録請求の範囲】
【請求項１】
サンダル前部に指の間に入る突起片を設け、また、中部と後部に大小さまざまな凸部を設けると共にマジックテープ式バンドを設けサイズ自在としたところを特徴とする健康サンダル
【考案の詳細な説明】
【技術分野】
【０００１】本考案は足の裏のツボを刺激する突起物と、外板母跡の予防、悪化予防の起立片を設けた履物に関するものである。
【背景技術】
【０００２】従来の物だと足の裏のツボの血行を良くするものと外板母跡用の物と別々に別れていた。
【考案の開示】
【考案が解決しようとする課題】
【０００３】従来物だと外板母跡の予防物と足の裏のツボの血行を良くする物と別れていたが、この二つの効果を一つにした活気的な履物である。
【課題を解決するための手段】
【０００４】本考案はサンダル前部に指の間に入る突起片を設け、また、中部と後部に大小さまざまな凸部を設けると共にマジックテープ式バンドを設けサイズ自在としたところを特徴としているので、足ツボマッサージ・外板母跡予防・悪化予防の同時に二つの効果を狙ったことにより問題点を解決している。
【考案の開示】
【０００５】家の中でマジックテープバンドを利用し自分のサイズに足を合わせ、重心をかえてツボを刺激し短時間履き続ける事により外板母跡予防・悪化予防、又は血行が良くなり疲れ、イララ、足のむくみ、首・肩の懲りが柔ぐので特に多忙な人には最適である。
【考案を実施するための最良の形態】
【０００６】  サンダル本体に当てはまる様に突起片を指の間に挟み足の甲のサイズを合わせ、
マジックテープ式バンドバンドで止める。
【産業上の利用可能製】
【０００７】  健康は足にあると言われ続け悩みを抱えている人は沢山いる。
老若男女に於いて共通の悩みをこの商品は解決出来るものと考える。
だからこそ市場は無限である。
【図面の簡単な説明】
【０００８】
【図１】図１は本考案に基本となる全体図である。
【図２】図２は図１から見た内面の図である。
【図３】図３は図２から見た断面図である
【符号の説明】
【０００９】  １  サンダル本体
２  凸部  ＡＢＣＤ
３  マジックテープ式バンド
４  起立片
【図１】
0003103922.tif 000003
【図２】
0003103922.tif 000004
【図３】
0003103922.tif 000005
【手続補正書】
【提出日】平成16年4月5日(2004.4.5)
【手続補正１】
【補正対象書類名】実用新案登録請求の範囲
【補正対象項目名】全文
【補正方法】変更
【補正の内容】
【実用新案登録請求の範囲】
【請求項１】
サンダル前部に指の間に入る突起片を設け、また、中部と後部に大小さまざまな凸部を設けると共に面ファスナー式バンドを設けサイズ自在としたところを特徴とする健康サンダル。
【手続補正２】
【補正対象書類名】明細書
【補正対象項目名】全文
【補正方法】変更
【補正の内容】
【考案の詳細な説明】
【技術分野】
【０００１】  本考案は足の裏のツボを刺激する突起物と、外板母跡の予防、悪化予防の起立片を設けた履物に関するものである。
【背景技術】
【０００２】  従来の物だと足の裏のツボの血行を良くするものと外板母跡用の物と別々に別れていた。
【考案の開示】
【考案が解決しようとする課題】
【０００３】  従来物だと外板母跡の予防物と足の裏のツボの血行を良くする物と別れていたが、この二つの効果を一つにした画期的な履物である。
【課題を解決するための手段】
【０００４】本願考案は、サンダル前部に指の間に入る突起片を設け、また、中部と後部に大小さまざまな凸部を設けると共に面ファスナー式バンドを設けサイズ自在としたところを特徴とする健康サンダルである。
【考案の効果】
【０００５】サンダル前部に指の間に入る突起片を設け、また、中部と後部に大小さまざまな凸部を設けると共に面ファスナー式バンドを設けサイズ自在としたところを特徴としているので、足ツボマッサージ・外板母跡予防・悪化予防の同時に二つの効果を狙ったことにより問題点を解決している。
【考案の開示】
【０００６】  家の中で面ファスナー付きバンドを利用し自分のサイズに足を合わせ、重心をかえてツボを刺激し短時間履き続ける事により外板母跡予防・悪化予防、又は血行が良くなり疲れ、イライラ、足のむくみ、首・肩の凝りが和らぐので特に多忙な人には最適である。
【考案を実施するための最良の形態】
【０００７】  サンダル本体に当てはまる様に突起片を指の間に挟み足の甲のサイズを合わせ、面ファスナー式バンドで止める。
【産業上の利用可能性】
【０００８】  健康は足にあると言われ続け悩みを抱えている人は沢山いる。
老若男女に於いて共通の悩みをこの商品は解決出来るものと考える。
だからこそ市場は無限である。
【図面の簡単な説明】
【０００９】
【図１】  図１は本考案の基本となる全体図である。
【図２】  図２は図１の内面の図である。
【図３】  図３は図２の断面図である。
【符号の説明】
【００１０】  １  サンダル本体
２  凸部  ＡＢＣＤ
３面ファスナー
４  起立片
(57)【要約】      （修正有）【課題】愛犬家の散歩途中での糞の対応に、条例が制定されました。そこで、各愛犬家の皆様は移植スコップを買物ビニール袋に入れて持ち歩いておられますが、袋の中で汚物とスコップが接触し不潔です。又、手が塞がり散歩が不便であった。【解決手段】汚染されたスコップ１を袋の中に入れず、専用のサック２を使用する。又、腰に下げるようにした事で片手が空き楽になる。【選択図】図３
0003103924.tif 000002
【実用新案登録請求の範囲】
【請求項１】
スコップをサックに納めた。
【請求項１】
サックを腰に取り付け可能にする為に根付を取り付けた。
【考案の詳細な説明】
【考案の詳細な説明】
【技術分野】
【０００１】  ペット用品
【背景技術】
【０００２】  特になし
【考案が解決しようとする課題】
【０００３】１．  糞をひらうスコップをビニール袋に入れると、握り手が不潔になり、さりとて、むき出しではズボンなどが汚れる恐れが有る。
２．  ペット（犬など）を連れて散歩に行く場合、片手にリード、片手に糞処理の為のビニール袋を持つと当然両手が塞がる状態になる。
又、雨が降れば傘、暗くなれば懐中電気も必要になり、ペットに引っ張られれば散歩もバランスを崩しやすく危険。
【課題を解決するための手段】
【０００４】１．  スコップ専用のサックを使用する。
２．  サックを腰などに簡単取り付け、取り外しが可能にするために根付を使用する。
これにより、手に持つ品物が減り歩きやすくする。
【考案を実施するための最良の形態】
【０００５】  サックには、当然糞をひらうスコップを入れて、必要時に取り出し使用する。
また、サックにはペットの写真などを貼り、腰に下げて散歩する。
【考案の効果】
【０００６】１．  糞が付着したスコップをサックを使用することで快適に持つことが出来ました。
又、サックのキャップを外し水洗いが出来清潔に成りました。
２．  サックをベルトに根付を使用する事で簡単に取り外しが出来、手に握っていない事で散歩も楽になりました。
また、ペットの写真貼ったり、根付の種類（形、色など）を変える事で散歩時の話題のひとつに成りました。
【図面の簡単な説明】
【０００７】
【図１】本考案の正面図である。
【図２】本考案の側面図である。
【図３】本考案の組立正面図である。
【図４】本考案の組立側面図である。
【図５】本考案の使用状態図である。
【符号の説明】
１    スコップ
２    サック
３    根付け
４    紐
５    清掃用キャッップ
６    紐通し穴
７    ベルト
８    写真等のプリントシール
【図１】
0003103924.tif 000003
【図２】
0003103924.tif 000004
【図３】
0003103924.tif 000005
【図４】
0003103924.tif 000006
【図５】
0003103924.tif 000007
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
根付を付けたスコップ専用のサック。
(57)【要約】【課題】  本考案は、口腔検査をする時に小児患者の顔を検査する方向に向けさせ、容易に口を開けさせる為の口腔検査器を提供する。【解決手段】  検査員が使用する小型のスポットライトを、小児の関心を惹くキャラクター人形１と一体にする。キャラクター人形の腕部９が動くことで、小児の顔をスポットライト２の方向に向かせる。キャラクターの音声スピーカー７から小児の心を和らげる音声が出る。【選択図】      図２
0003103921.tif 000002
【実用新案登録請求の範囲】
【請求項１】
検査すべき小児患者の口の中を照らす装置において、小児向けキャラクターを外観として付加したことを特徴とする医療用口腔検査器。
【請求項２】
キャラクターに音声発生機能を設けたことを特徴とする請求項１記載の医療用口腔検査器。
【請求項３】
キャラクターの一部に動作機構を設けたことを特徴とする請求項１記載の医療用口腔検査器。
【考案の詳細な説明】
【技術分野】
【０００１】  本考案は、検査すべき小児患者の口の中を診察するために、小児患者の気持ちを和らげ、口を開け易くする医療用口腔検査器に関する。
【背景技術】
【０００２】  従来は小型のスポットライトで口の中を照らす口腔検査が一般的であり、大人用と小児用の区別は特には無かった。
【考案の開示】
【考案が解決しようとする課題】
【０００３】  しかしながら、診察される時の小児の心理は緊張や恐怖のためであったり、周囲の物に関心が向いたりして、顔が検査する方向に向かなかったり容易には口を開けないことで、口腔検査が困難になる欠点があった。
【課題を解決するための手段】
【０００４】  本考案は、小型のスポットライトを小児の関心を惹くキャラクターと一体にすることで、小児の顔をスポットライトの方向に向かせると共に心を和らげることにより、上記課題を解決するものである。
【考案を実施するための最良の形態】
【０００５】  図１に示すようにキャラクター人形１の頭上にスポットライト２を付加したものである。ケース３に付加された切替スイッチ４により、スポットライト２を点灯及び消灯させる。【０００６】  図２の断面図にて構造の一例を示す。ケース３に付加された切替スイッチ４が２段階になっており、１段目を押すことで電源部５と結線された音声スピーカー７が稼動する。又、連結部８を仲介して、腕部９が図１の様に上に稼動する。更に押込むことで２段目のスイッチ６が入り、スポットライト２を点灯させる。スイッチ４を離すことでスピーカー７及びスポットライト２は消され、腕部９が下に戻る。【０００７】  図１及び図２の実施例に示すような本考案の医療用口腔検査器は、検査員が必要に応じて小児患者と会話をしながらスイッチを切り替える事で、小児患者の気持ちを和らげ、口を開け易くすることができる。
【考案の効果】
【０００８】  本考案に係る医療用口腔検査器は、電源部に市販の単四電池やリチウム電池を使用し、音声スピーカーにはＩＣを活用して用途に合せた音声を録音させる等、小型化ができる。キャラクター人形やケースその他の部品は樹脂製にすることで軽量化できるため、診察する人にも使い勝手が良い。従って、小児患者にも検査員にも喜ばれ、医療用として実用性に優れている。
【図面の簡単な説明】
【図１】本考案の外観立体図である。
【図２】本考案の断面立体図である。
【符号の説明】
１・・・キャラクター人形
２・・・スポットライト
３・・・ケース
４・・・切替スイッチ
５・・・電源
６・・・２段目のスイッチ
７・・・音声スピーカー
８・・・連結部
９・・・腕部
【図１】
0003103921.tif 000003
【図２】
0003103921.tif 000004
【手続補正書】
【提出日】平成16年4月15日(2004.4.15)
【手続補正１】
【補正対象書類名】実用新案登録請求の範囲
【補正対象項目名】請求項  １
【補正方法】変更
【補正の内容】
【請求項１】
検査すべき小児患者の口の中を照らす装置において、小型のスポットライトを小児の関心を惹くキャラクター人形と一体にする構造を外観としたことを特徴とする医療用口腔検査器。
(57)【要約】【課題】  従来のまくらは部分的にしか頚椎を支えられないため、頚部、肩の緊張を生み出していた。この点に注目し、全ての頚椎を支える構造を有し、頚部、肩部の緊張を緩和するまくらを開発する。【解決手段】  仰向けに寝た際頚椎を支える側となるまくらの下縁において、両肩との干渉を避けるよう外側をアーチ型に欠損させ、中央部分によりすべての頚椎を支えることが可能な構造を考案した。【選択図】    図１
0003103927.tif 000002
【実用新案登録請求の範囲】
【請求項１】
両肩への干渉を排除する構造により、頭部およびすべての頚椎を支えることを可能にするまくら。
【考案の詳細な説明】
【技術分野】
【０００１】本考案は、ひとが背臥する際、頭部およびすべての頚椎支えるためのまくらの形状に関する。
【背景技術】
【０００２】従来のまくらは、頭部および一部の頚椎のみ支えることができる。しかし、第７頚椎が上背部で胸椎に連続するため、すべての頚椎を支えることはできない。
【考案の開示】
【考案が解決しようとする課題】
【０００３】従来のまくらは直方体かそれに類する形状をしており、頭部をまくらに載せた場合、頭部および一部の頚椎を支えることはできるが、第７頚椎が上背部で胸椎に連結する人体の構造上、すべての頚椎を支えることは不可能である。その結果、まくらで支えられない部分の頚椎と敷布団の間に空間を残すことになっていた。また、上半身をまくらに委ねるように背臥すると両肩もまくらの上に載ることとなり、結果として頚椎とまくらの間には最大の空間ができてしまう。このように、支えられていない頚椎があるために首および肩に緊張を強いることになっていた。
【課題を解決するための手段】
【０００４】図１の斜視図に示すように、頚椎を支える側となるまくらの下縁のうち、まくらが両肩と干渉するのを避ける目的で外側をアーチ型に欠損させ、頚椎を支える中央部分のみを残す構造を考案した。図２はまくらの本体となる綿、スポンジその他の形状を示している。
【考案の効果】
【０００５】本考案のまくらは図３および図６に示すように、頭頚部とまくらの間、あるいは頚部と敷布団の間の空間を排除し、頭部およびこれにつながり上背部に終わる頚椎の全てを曲面として支えることが可能である。また、両肩はまくらにより持ち上げられることがないので、敷布団により無理なく支えられ自然な臥床姿勢が実現される。その結果、頚部および肩全体の緊張を緩和することとなり安眠できる。また、頭部を支える部分は従来のまくらと同じ構造であるため、横向きに臥床する場合も快適である。
【考案を実施するための最良の形態】
【０００６】本考案はこれまでのまくらが頚椎を部分的にしか支えられなかった欠点を修正し、頚部、肩に生じる緊張を減弱させるものである。自宅、外出先、病院などあらゆる宿泊、滞在施設での就寝、休憩などで除緊張まくらとして使用可能である。頭部および全ての頚椎を曲面として支えることが目的であるので、材質としては綿、スポンジ、空気など頚部の形状に合わせて変化可能なものが望ましい。
【図面の簡単な説明】
【０００７】
【図１】まくらの斜視図である。
【図２】まくらの内容とすべき綿などの形状である。
【図３】まくらの平面図と人体の位置関係である。
【図４】従来のまくらの平面図と人体の位置関係である。
【図５】図２のＩ−Ｉでの断面図である。
【図６】図３のＩＩ−ＩＩでの断面図である。
【符号の説明】
【０００８】１  まくら
２  まくら本体
３  従来のまくら
４  人体
【図１】
0003103927.tif 000003
【図２】
0003103927.tif 000004
【図３】
0003103927.tif 000005
【図４】
0003103927.tif 000006
【図５】
0003103927.tif 000007
【図６】
0003103927.tif 000008
【手続補正書】
【提出日】平成16年4月12日(2004.4.12)
【手続補正１】
【補正対象書類名】実用新案登録請求の範囲
【補正対象項目名】全文
【補正方法】変更
【補正の内容】
【実用新案登録請求の範囲】
【請求項１】
下縁の外側をアーチ型に欠損させ中央部のみを残す構造により、両肩との干渉を排除し頭部および全ての頚椎を支えることを可能とするまくら。